(57)【要約】【課題】印刷ヘッドの往復動時の両方において紫外線照射を実行する。【解決手段】記録装置１は、被記録媒体Ｐを載置する載置テーブル２と、紫外線の露光により硬化するインクを被記録媒体Ｐに対して吐出する印刷ヘッド３を走査方向一方側及び他方側に往復移動させるキャリッジ４と、被記録媒体Ｐに照射するための紫外線を発生する紫外線発生源２０と、キャリッジ４により印刷ヘッド３が走査方向一方側へ移動するときには紫外線発生源２０は印刷ヘッド３の走査方向他方側で印刷ヘッド３に追従しつつ走査方向一方側へと移動し、  印刷ヘッド３が走査方向他方側へ移動するときには紫外線発生源２０は印刷ヘッド３の走査方向一方側で印刷ヘッド３に追従しつつ走査方向他方側へと移動するように、紫外線発生源２０の印刷ヘッド３に対する相対位置及び移動方向を切り替える、追従切替機構３０と、を有する。【選択図】図２
2012206451.tif 000002
【特許請求の範囲】
【請求項１】
被記録媒体を載置可能な載置手段と、
紫外線の露光により硬化するインクを、前記載置手段が載置した前記被記録媒体に対して吐出する印刷ヘッドと、
前記印刷ヘッドを、走査方向一方側及び他方側に往復移動させるための印刷ヘッド搬送手段と、
前記載置手段が載置した前記被記録媒体に照射するための紫外線を発生する紫外線発生源と、
前記印刷ヘッド搬送手段により前記印刷ヘッドが前記走査方向一方側へ移動するときには前記紫外線発生源は前記印刷ヘッドの前記走査方向他方側で当該印刷ヘッドに追従しつつ前記走査方向一方側へと移動し、  前記印刷ヘッド搬送手段により前記印刷ヘッドが前記走査方向他方側へ移動するときには前記紫外線発生源は前記印刷ヘッドの前記走査方向一方側で当該印刷ヘッドに追従しつつ前記走査方向他方側へと移動するように、前記紫外線発生源の前記印刷ヘッドに対する相対位置及び移動方向を切り替える、追従切替手段と、
を有することを特徴とする記録装置。
【請求項２】
請求項１記載の記録装置において、
前記追従切替手段は、
前記印刷ヘッド搬送手段に設けられ、
前記印刷ヘッドが前記走査方向一方側へ移動するときには前記紫外線発生源が前記印刷ヘッドの前記走査方向他方側に位置して当該印刷ヘッドに接続され、前記印刷ヘッドが前記走査方向他方側へ移動するときには前記紫外線発生源が前記印刷ヘッドの前記走査方向一方側に位置して当該印刷ヘッドに接続されるように、前記印刷ヘッドに対する前記紫外線発生源の配置位置を反転する、第１配置反転手段を備える
ことを特徴とする記録装置。
【請求項３】
請求項２記載の記録装置において、
前記走査方向と直交する直交方向に沿った当該印刷ヘッド搬送手段の一方側において前記走査方向に延設され、前記印刷ヘッド搬送手段の搬送をガイドする搬送ガイド部材を有し、
前記第１配置反転手段は、前記紫外線発生源が、前記直交方向に沿った前記印刷ヘッドの他方側を通過するようにしつつ当該印刷ヘッドに対する前記配置位置の反転を行う
ことを特徴とする記録装置。
【請求項４】
請求項１記載の記録装置において、
前記印刷ヘッド及び前記紫外線発生源は、
吐出照射ユニットとして一体的に構成されており、
前記印刷ヘッド搬送手段は、
前記吐出照射ユニットを前記走査方向一方側及び他方側に往復移動し、
前記追従切替手段は、
前記印刷ヘッド搬送手段に設けられ、
前記吐出照射ユニットが前記走査方向一方側へ移動するときには前記紫外線発生源が前記印刷ヘッドの前記走査方向他方側に位置し、前記吐出照射ユニットが前記走査方向他方側へ移動するときには前記紫外線発生源が前記印刷ヘッドの前記走査方向一方側に位置するように、当該吐出照射ユニットの配置方向を反転する、第２配置反転手段を備える
ことを特徴とする記録装置。
【請求項５】
請求項２乃至請求項４のいずれか１項記載の記録装置において、
第１配置反転手段が前記印刷ヘッドに対する前記紫外線発生源の配置位置を反転している間、又は、第２配置反転手段が吐出照射ユニットの配置方向を反転している間は、前記紫外線の照射を中止するように、前記紫外線発生源を制御する照射制御手段を有する
ことを特徴とする記録装置。
【請求項６】
請求項１乃至請求項５のいずれか１項記載の記録装置において、
前記紫外線発生源の付近の気体を排気部から所定方向に向かって排出する排気手段と、
前記紫外線発生源の前記印刷ヘッドに対する相対位置及び移動方向を切り替えられると、走査方向における前記印刷ヘッドと前記排気手段の排気部との相対位置関係を維持しつつ、前記排気手段による気体の排出方向を別の方向に切り替える排気方向切替手段とを備えたこと特徴とする記録装置。
【請求項７】
請求項６に記載の記録装置において、
前記排気手段が前記印刷ヘッドによる印刷済み領域に気体を排出するものであり、前記紫外線発生源の前記印刷ヘッドに対する相対位置及び移動方向を切り替えられると、前記排気手段の気体の排出方向が移動方向の変更後に印刷された領域に対して気体を排出する方向に切り替えられること特徴とする記録装置。
【請求項８】
請求項６に記載の記録装置において、
前記排気手段が前記印刷ヘッドによる印刷済前の領域に気体を排出するものであり、前記紫外線発生源の前記印刷ヘッドに対する相対位置及び移動方向を切り替えられると、前記排気手段の気体の排出方向が移動方向の変更後に印刷される前の領域に対して気体を排出する方向に切り替えられること特徴とする記録装置。
【請求項９】
請求項６に記載の記録装置において、
前記排気方向切替手段が、前記排気手段の排気部を開閉する開閉部材を有し、
前記排気手段が前記印刷ヘッドによる印刷済み領域に気体を排出するものであり、前記紫外線発生源の前記印刷ヘッドに対する相対位置及び移動方向を切り替えられると、前記排気手段の気体の排出方向が移動方向の変更後に印刷された領域側に位置する開閉部材を開放すること特徴とする記録装置。
【請求項１０】
請求項６に記載の記録装置において、
前記排気方向切替手段が、前記排気手段の排気部を開閉する開閉部材を有し、
前記排気手段が前記印刷ヘッドによる印刷前の領域に気体を排出するものであり、前記紫外線発生源の前記印刷ヘッドに対する相対位置及び移動方向を切り替えられると、前記排気手段の排気部を開放している開閉部材を閉じるか、若しくは、前記排気手段の排気部を閉鎖している開閉部材を開けるかの少なくとも一方を行うこと特徴とする記録装置。
【発明の詳細な説明】
【技術分野】
【０００１】
本発明は、被記録媒体に対しインクを吐出し所望の記録を行う記録装置に関する。
【背景技術】
【０００２】
被記録媒体に対してインクを吐出し、そのインクに対して紫外線を照射して硬化させる記録装置が知られている（例えば、特許文献１参照）。この記録装置では、被記録媒体である記録用紙がセットされると、印刷ヘッド（記録ヘッド）が走査方向一方側と走査方向他方側とに交互に往復移動する。移動する印刷ヘッドから記録用紙に対しインクが吐出され、その後紫外線が照射されることによりインクが硬化する。
【０００３】
例えば、この従来技術のプリンタにおいて、印刷ヘッドを搬送する印刷ヘッド搬送手段（キャリッジ）に、紫外線発生源としての放電管と、可動平面反射鏡とが搭載されている構成を想定してみる。印刷ヘッドが走査方向一方側へと移動している場合には、可動平面反射鏡が放電管からの光路を印刷ヘッドの走査方向他方側へ切り替える。これにより、走査方向一方側へ移動する印刷ヘッドの移動方向の背後側において、記録用紙に吐出された直後のインクに対し照射を行うことが想定される。印刷ヘッドが走査方向他方側へと移動している場合には、可動平面反射鏡が上記光路を印刷ヘッドの走査方向一方側へと切り替える。これにより、走査方向他方側へ移動する印刷ヘッドの移動方向の背後側において、記録用紙に吐出された直後のインクに対し照射を行うことが想定される。
【先行技術文献】
【特許文献】
【０００４】
【特許文献１】特開昭６０−１３２７６７号公報
【発明の概要】
【発明が解決しようとする課題】
【０００５】
上記可動平面反射鏡が放電管からの光路を切り替えることにより、印刷ヘッドが走査方向一方側及び他方側のいずれへ移動している間でも、印刷ヘッドの移動方向の背後側において照射を行う。しかしながら、このように光路の切り替えによって照射位置の切り替えを実行する場合には、光路切替における高い精度と複雑な制御が必要となる。この結果、信頼性の高い照射位置切り替えを行うのは難しいという問題があった。
【０００６】
本発明の目的は、印刷ヘッドの往復動時の両方において紫外線照射を実行できる記録装置において、信頼性の高い照射位置切り替えを行える構成を提供することにある。
【課題を解決するための手段】
【０００７】
上記目的を達成するために、第１の発明は、被記録媒体を載置可能な載置手段と、紫外線の露光により硬化するインクを、前記載置手段が載置した前記被記録媒体に対して吐出する印刷ヘッドと、前記印刷ヘッドを、走査方向一方側及び他方側に往復移動させるための印刷ヘッド搬送手段と、前記載置手段が載置した前記被記録媒体に照射するための紫外線を発生する紫外線発生源と、前記印刷ヘッド搬送手段により前記印刷ヘッドが前記走査方向一方側へ移動するときには前記紫外線発生源は前記印刷ヘッドの前記走査方向他方側で当該印刷ヘッドに追従しつつ前記走査方向一方側へと移動し、  前記印刷ヘッド搬送手段により前記印刷ヘッドが前記走査方向他方側へ移動するときには前記紫外線発生源は前記印刷ヘッドの前記走査方向一方側で当該印刷ヘッドに追従しつつ前記走査方向他方側へと移動するように、前記紫外線発生源の前記印刷ヘッドに対する相対位置及び移動方向を切り替える、追従切替手段と、を有することを特徴とする。
【０００８】
本願第１発明においては、載置手段に被記録媒体が載置されると、印刷ヘッド搬送手段により、印刷ヘッドが走査方向一方側と走査方向他方側とに交互に往復移動する。移動する印刷ヘッドからは、被記録媒体に対しインクが吐出される。
【０００９】
上記のように印刷ヘッドから吐出されたインクは、その後紫外線が照射されることにより硬化する。本願第１発明においては、紫外線発生源から紫外線が発生され、その紫外線が被記録媒体へ導かれることによって上記インクへの照射が行われる。紫外線発生源と上記往復移動する印刷ヘッドとの位置関係は、追従切替手段によって切り替えられる。
【００１０】
印刷ヘッドが走査方向一方側へと移動している場合には、追従切替手段により、紫外線発生源は印刷ヘッドの走査方向他方側で印刷ヘッドに追従しつつ走査方向一方側へと移動する。これにより、走査方向一方側へ移動する印刷ヘッドの移動方向の背後側において照射が行われるので、被記録媒体に吐出された直後のインクに対し照射を行うことができる。
【００１１】
印刷ヘッドが走査方向他方側へと移動している場合には、追従切替手段により、紫外線発生源は印刷ヘッドの走査方向一方側で印刷ヘッドに追従しつつ走査方向他方側へと移動する。これにより、走査方向他方側へ移動する印刷ヘッドの移動方向の背後側において照射が行われるので、被記録媒体に吐出された直後のインクに対し照射を行うことができる。
【００１２】
以上のようにして、本願第１発明においては、印刷ヘッドが走査方向一方側へ移動している間でも他方側へ移動している間でも、印刷ヘッドの移動方向の背後側において照射が行われ、被記録媒体に吐出された直後のインクに対し照射を行うことができる。これにより、被記録媒体に対し迅速な記録を行うことができる。また、紫外線発生源と印刷ヘッドとの相対位置及び移動方向を切り替えることにより、上記相対位置や方向を切り替えず紫外線の光路を切り替えて対応する場合に比べ、信頼性の高い照射位置切替を行うことができる。
【００１３】
第２発明は、上記第１発明において、前記追従切替手段は、前記印刷ヘッド搬送手段に設けられ、前記印刷ヘッドが前記走査方向一方側へ移動するときには前記紫外線発生源が前記印刷ヘッドの前記走査方向他方側に位置して当該印刷ヘッドに接続され、前記印刷ヘッドが前記走査方向他方側へ移動するときには前記紫外線発生源が前記印刷ヘッドの前記走査方向一方側に位置して当該印刷ヘッドに接続されるように、前記印刷ヘッドに対する前記紫外線発生源の配置位置を反転する、第１配置反転手段を備えることを特徴とする。
【００１４】
本願第２発明においては、印刷ヘッドが走査方向一方側へと移動している場合には、第１配置反転手段により、紫外線発生源が印刷ヘッドの走査方向他方側に配置される。これにより、走査方向一方側へ移動する印刷ヘッドの背後側において、被記録媒体に吐出された直後のインクに対し照射を行うことができる。印刷ヘッドが走査方向他方側へと移動している場合には、第１配置反転手段により、紫外線発生源が印刷ヘッドの走査方向一方側に配置される。これにより、走査方向他方側へ移動する印刷ヘッドの背後側において、被記録媒体に吐出された直後のインクに対し照射を行うことができる。
【００１５】
第３発明は、上記第２発明において、前記走査方向と直交する直交方向に沿った当該印刷ヘッド搬送手段の一方側において前記走査方向に延設され、前記印刷ヘッド搬送手段の搬送をガイドする搬送ガイド部材を有し、前記第１配置反転手段は、前記紫外線発生源が、前記直交方向に沿った前記印刷ヘッドの他方側を通過するようにしつつ当該印刷ヘッドに対する前記配置位置の反転を行うことを特徴とする。
【００１６】
これにより、印刷ヘッドの走査方向一方側から他方側へ、又は、印刷ヘッドの走査方向他方側から一方側へ、と紫外線発生源の反転が行われるときに、紫外線発生源が搬送ガイド部材に干渉するのを確実に防止し、円滑に反転を行うことができる。
【００１７】
第４発明は、上記第１発明において、前記印刷ヘッド及び前記紫外線発生源は、  吐出照射ユニットとして一体的に構成されており、前記印刷ヘッド搬送手段は、前記吐出照射ユニットを前記走査方向一方側及び他方側に往復移動し、前記追従切替手段は、前記印刷ヘッド搬送手段に設けられ、前記吐出照射ユニットが前記走査方向一方側へ移動するときには前記紫外線発生源が前記印刷ヘッドの前記走査方向他方側に位置し、前記吐出照射ユニットが前記走査方向他方側へ移動するときには前記紫外線発生源が前記印刷ヘッドの前記走査方向一方側に位置するように、当該吐出照射ユニットの配置方向を反転する、第２配置反転手段を備えることを特徴とする。
【００１８】
本願第４発明においては、吐出照射ユニットが走査方向一方側へと移動している場合には、第２配置反転手段により、紫外線発生源が印刷ヘッドの走査方向他方側となるように、吐出照射ユニットの向きが設定される。これにより、走査方向一方側へ移動する印刷ヘッドの背後側において、被記録媒体に吐出された直後のインクに対し照射を行うことができる。吐出照射ユニットが走査方向他方側へと移動している場合には、第２配置反転手段により、紫外線発生源が印刷ヘッドの走査方向一方側となるように、吐出照射ユニットの向きが設定される。これにより、走査方向他方側へ移動する印刷ヘッドの背後側において、被記録媒体に吐出された直後のインクに対し照射を行うことができる。また、印刷ヘッドと紫外線発生源とが一体となった吐出照射ユニットごと方向が反転することにより、印刷ヘッドに備えられた複数のノズル孔から複数種類の色のインクを積層して記録を行うときのインクの積層順序が、吐出照射ユニットが走査方向一方側及び他方側のいずれに移動している場合でも、同一順序となる。この結果、被記録媒体に形成される記録物の画質を向上することができる。
【００１９】
第５発明は、上記第２乃至第４発明のいずれかにおいて、第１配置反転手段が前記印刷ヘッドに対する前記紫外線発生源の配置位置を反転している間、又は、第２配置反転手段が吐出照射ユニットの配置方向を反転している間は、前記紫外線の照射を中止するように、前記紫外線発生源を制御する照射制御手段を有することを特徴とする。
【００２０】
本願第５発明においては、第１反転手段や第２反転手段の反転が行われている間は、紫外線発生源からの紫外線の照射が中止される。これにより、印刷ヘッドの移動に追従した紫外線照射を行わないタイミングでの、無駄な電力消費を防止することができる。
【００２１】
第６発明は、上記第１乃至第５発明のいずれかにおいて、前記紫外線発生源の付近の気体を排気部から所定方向に向かって排出する排気手段と、前記紫外線発生源の前記印刷ヘッドに対する相対位置及び移動方向を切り替えられると、走査方向における前記印刷ヘッドと前記排気手段の排気部との相対位置関係を維持しつつ、前記排気手段による気体の排出方向を別の方向に切り替える排気方向切替手段とを備えたこと特徴とする。
【００２２】
第７発明は、上記第６発明において、前記排気手段が前記印刷ヘッドによる印刷済み領域に気体を排出するものであり、前記紫外線発生源の前記印刷ヘッドに対する相対位置及び移動方向を切り替えられると、前記排気手段の気体の排出方向が移動方向の変更後に印刷された領域に対して気体を排出する方向に切り替えられること特徴とする。
【００２３】
第８発明は、上記第６発明において、前記排気手段が前記印刷ヘッドによる印刷済前の領域に気体を排出するものであり、前記紫外線発生源の前記印刷ヘッドに対する相対位置及び移動方向を切り替えられると、前記排気手段の気体の排出方向が移動方向の変更後に印刷される前の領域に対して気体を排出する方向に切り替えられること特徴とする。
【００２４】
第９発明は、上記第６発明において、前記排気方向切替手段が、前記排気手段の排気部を開閉する開閉部材を有し、前記排気手段が前記印刷ヘッドによる印刷済み領域に気体を排出するものであり、前記紫外線発生源の前記印刷ヘッドに対する相対位置及び移動方向を切り替えられると、前記排気手段の気体の排出方向が移動方向の変更後に印刷された領域側に位置する開閉部材を開放すること特徴とする。
【００２５】
第１０発明は、上記第６発明において、前記排気方向切替手段が、前記排気手段の排気部を開閉する開閉部材を有し、前記排気手段が前記印刷ヘッドによる印刷前の領域に気体を排出するものであり、前記紫外線発生源の前記印刷ヘッドに対する相対位置及び移動方向を切り替えられると、前記排気手段の排気部を開放している開閉部材を閉じるか、若しくは、前記排気手段の排気部を閉鎖している開閉部材を開けるかの少なくとも一方を行うことを特徴とする。
【発明の効果】
【００２６】
本発明によれば、印刷ヘッドの往復動時の両方において紫外線照射を実行でき、かつ、信頼性の高い照射位置切り替えを行うことができる。
【図面の簡単な説明】
【００２７】
【図１】本発明の記録装置の一実施形態の全体の概略構成を示す平面図及び正面図である。
【図２】記録装置を示す斜視図である。
【図３】記録装置の要部を示す平面図である。
【図４】記録装置を模式的に示す正面図である。
【図５】記録装置のカバーにおける空気の排出方向を示す平面図である。
【図６】記録装置のカバーにおける空気の排出方向を示す平面図である。
【図７】記録装置の印刷ヘッドの走査時のタイミングチャートである。
【図８】紫外線発生源を印刷ヘッドごと反転する変形例の記録装置を示す平面図である。
【図９】カバーの印刷ヘッド側の下部に排気口を設ける変形例の記録装置を示す平面図である。
【図１０】記録装置のカバーにおける空気の排出方向を示す平面図である。
【図１１】記録装置のカバーにおける空気の排出方向を示す平面図である。
【図１２】カバーの印刷ヘッド側の下部と反対側の下部とに排気口を設ける変形例の記録装置を示す平面図である。
【図１３】記録装置のカバーにおける空気の排出方向を示す平面図である。
【図１４】記録装置のカバーにおける空気の排出方向を示す平面図である。
【図１５】カバーの印刷ヘッドとは反対側における直交方向両側に排気口を開閉自在に設けて被記録媒体の移動方向上流側となる排気口を開いて排気する変形例の記録装置を示す平面図である。
【図１６】記録装置のカバーにおける空気の排出方向を示す平面図である。
【図１７】記録装置のカバーにおける空気の排出方向を示す平面図である。
【図１８】カバーの印刷ヘッドとは反対側における直交方向両側に開閉自在に設けた排気口のうちの被記録媒体の移動方向上流側となる排気口を開いて排気する変形例における空気の排出方向を示す平面図である。
【図１９】カバーの印刷ヘッドとは反対側における直交方向両側に開閉自在に設けた排気口のうちの被記録媒体の移動方向上流側となる排気口を開いて排気する変形例における空気の排出方向を示す平面図である。
【図２０】カバーの印刷ヘッドとは反対側における直交方向両側に開閉自在に設けた排気口の両方を開いて排気する変形例における空気の排出方向を示す平面図である。
【図２１】カバーの印刷ヘッドとは反対側における直交方向両側に開閉自在に設けた排気口の両方を開いて排気する変形例における空気の排出方向を示す平面図である。
【発明を実施するための形態】
【００２８】
以下、本発明の一実施の形態を図面を参照しつつ説明する。
【００２９】
図１（ａ）は本発明の記録装置の一実施形態の全体の概略構成を示す平面図であり、図１（ｂ）はその正面図である。
【００３０】
本実施形態の記録装置１は、紙や布等の被記録媒体Ｐを載置して水平方向に支持する載置テーブル２（載置手段）と、紫外線の露光により硬化するインクを、載置テーブル２が載置した被記録媒体Ｐに対して吐出する印刷ヘッド３と、印刷ヘッド３を搭載して、印刷ヘッド３を、図１中の左側（＝走査方向一方側。以下適宜、単に「左側」という）及び図１中の右側（＝走査方向他方側。以下適宜、単に「右側」という）に往復移動させるキャリッジ４（印刷ヘッド搬送手段)と、キャリッジ４を上記走査方向にガイドする１対のガイドバー５（搬送ガイド部材）と、キャリッジ４をガイドバー５に沿って駆動するキャリッジ用モータ６と、載置テーブル２上の被記録媒体Ｐに照射する紫外線を発生する紫外線発生源２０と、紫外線発生源２０を印刷ヘッド３に追従させる追従切替機構３０とを備えている。
【００３１】
また記録装置１は、載置テーブル２を含む平面上において載置テーブル２を上記走査方向と直交する直交方向（図１の紙面に垂直な前後方向）にガイドするガイドレール１０と、載置テーブル２の下面の軸受８と螺合するボールネジ９の一端に連結され、載置テーブル２を上記直交方向に駆動する載置テーブル用モータ７と、ガイドレール１０を支持すると共に、内蔵した鉛直用モータ（図示せず）により載置テーブル５を鉛直方向（上下方向）に駆動する上下駆動機構１１とを備えている。また記録装置１は、インクを収納したインクタンク１６と、インクタンク１６から印刷ヘッド３へインクを供給するための遮光性のインクチューブ１７とを備えている。
【００３２】
載置テーブル２は、被印刷媒体Ｐをエア吸着によって上面に固定した状態で載置可能である。載置テーブル２の例えば左端部には、印刷ヘッド３をフラッシングする際にインクを噴出するためのフラッシング穴１８が設けられ、載置テーブル２の例えば右端部には、印刷ヘッド３をパージングする際にインクを排出するためのパージング穴１９が設けられている。
【００３３】
印刷ヘッド３は、例えばイエロー（Ｙ）、マゼンタ（Ｍ）、シアン（Ｃ）、ブラック（Ｂｋ）の４色のインクを各別に吐出するノズル孔を備えている。各色のノズル孔は、印刷ヘッド３の下面（載置テーブル２側の面）のノズル面３ａに上記走査方向と直交する直交方向に沿って配列され開口されている。各色のノズル孔の色順は、上記走査方向左側から右側へ例えばイエロー（Ｙ）、マゼンタ（Ｍ）、シアン（Ｃ）、ブラック（Ｂｋ）である。
【００３４】
紫外線発生源２０は、紫外線を発光する光源部を備えたＵＶＬＥＤ等の１個乃至複数個の発光素子を素子基板に実装したものである。この紫外線発生源２０には、発光素子で発生する熱を冷却するための多数の金属薄板を横方向に狭間隙を開けて並べた積冷却フィン２１が取り付けられている。冷却フィン２１は、図２に示すように、紫外線発生源２０の水平方向外側まで広がる大きさに形成され、冷却フィン２１と紫外線発生源２０とは、印刷ヘッド３とは反対側の右側に設けられた複数本の冷却パイプ２２によって接続されている。
【００３５】
追従切替機構３０（第１配置反転手段、追従切替手段）は、図２に示すように、キャリッジ４の上部に設けられた矩形の取り付け板３１の上面に回転軸３２ａにより回転自在に取り付けられた大径の円板ギヤ３２を備え、この円板ギヤ３２の周縁部の一所に複数本の締結ネジ３３により冷却フィン２１を取り付けることにより、キャリッジ４に紫外線発生源２０及び冷却フィン２１を水平面内で回転自在に設置している。円板ギヤ３２の回転軸３２ａは、４個の印刷ヘッド３の列の上記走査方向中心を通って上記直交方向に沿う対称軸線上に位置し、円板ギヤ３２の外径は、回転軌跡内に４個の印刷ヘッド３の列が含まれる大きさに形成されている。円板ギヤ３２には、紫外線源用モータ３５の出力軸３５ａに取り付けられた小径の駆動ギヤ３４が歯合されている。
【００３６】
したがって、紫外線発生源２０及び冷却フィン２１を、図１（ａ）（ｂ）及び図２に実線で示す印刷ヘッド３の走査方向右側の位置にセットして、紫外線源用モータ３５により駆動ギヤ３４を回転して円板ギヤ３５を平面視で時計方向に半周期回転すると、紫外線発生源２０及び冷却フィン２１は、平面視で印刷ヘッド３の前側（上記ガイドバー５の側とは反対の上記走査方向と直交する直交方向に沿った印刷ヘッド３の他方側）を通って時計方向に反転し、図１（ａ）（ｂ）及び図２に仮想線で示す印刷ヘッド３の左側に位置し、印刷ヘッド３と左側で接続した位置関係になる。また、冷却フィン２１及び紫外線発生源２０が図１（ａ）（ｂ）及び図２に仮想線で示す印刷ヘッド３の左側の位置にある場合に、紫外線源用モータ３５により駆動ギヤ３４を上記とは逆方向に回転して円板ギヤ３２を平面視で反時計方向に半周期回転すると、冷却フィン２１及び紫外線発生源２０は、平面視で印刷ヘッド３の前側を通って反時計方向に反転し、図１（ａ）（ｂ）及び図２に実線で示す印刷ヘッド３の右側に位置し、印刷ヘッド３と右側で接続した位置関係になる。この追従切替機構３０による紫外線発生源２０及び冷却フィン２１の位置の切替は、印刷ヘッド３が左側へと移動している場合には紫外線発生源２０及び冷却フィン２１が印刷ヘッド３の右側へ位置し、印刷ヘッド３が左側へと移動している場合には、紫外線発生源２０及び冷却フィン２１が印刷ヘッド３の左側へ位置するように行われる。
【００３７】
紫外線発生源２０及び冷却フィン２１は、上記冷却フィン２１に取り付けたカバー４０により覆われている。カバー４０は、図２に示した拡大図に示されるように、冷却フィン２１及び紫外線発生源２０の周囲を覆う箱体からなり、カバー４０の上部には、上記キャリッジ４の取り付け板３１及び円板ギヤ３２と小間隙を開けて収容する凹状の収容部４２を画成した取り付け部４３が設けられている。取り付け部４３は先端に軸受け凹部４３ａを有する平たい箱体形状に形成されており、収容部４２に取り付け板３１及び円板ギヤ３２を収容した状態で、取り付け部４３が円板ギヤ３２上に位置する。そしてその状態で、カバー４０を冷却フィン２１の上面等の外面の数箇所で固定するとともに、取り付け部４３の先端の軸受け凹部４３ａを図示しない軸受けを介して回転軸３２ａに取り付ける。これにより、追従切替機構３０により紫外線発生源２０及び冷却フィン２１を回転する際、紫外線発生源２０及び冷却フィン２１はカバー４０ごと回転する。
【００３８】
図３及び図４により、カバー４０について詳述する。図３は、記録装置１の要部を模式化して示す平面図、図４は、その正面図である。なお、図３及び図４において、図示の簡略化のために、キャリッジ４に設けられた取り付け板３１及び紫外線源用モータ３５等は省略している。
【００３９】
図３及び図４において、紫外線発生源２０及び冷却フィン２１の周囲を覆うカバー４０は、冷却フィン２１の上方と冷却フィン２１及び紫外線発生源２０及び冷却フィン２１の側方とに間隔を開けて位置されている。カバー４０の上面には、吸引ファン５０（排気手段）を配設した開口４４が開設され、カバー４０の右下（印刷ヘッド３とは反対側の下部）には、上記直交方向に沿う中央部に排気口４５が設けられている。また、カバー４０内には、図４に示すように、壁部４０ａより冷却フィン２１の印刷ヘッド３とは反対側の位置に、鉛直方向（上下方向）略中央部からカバー４０の上記排気口４５に向けて傾斜した排気通路４６が設けられている。カバー４０の上面の開口４４はカバー４０の略中央部に設けられ、開口４４に配設された吸引ファン５０は冷却フィン２１の略直上に位置されている。吸引ファン５０には図示しない吸引用モータが取り付けられている。
【００４０】
したがって、吸引用モータにより吸引ファン５０を回転駆動すると、吸引ファン５０によりカバー４０の上面中央部からカバー４０外の空気が吸い込まれ、吸い込まれた空気は、冷却フィン２１及び紫外線発生源２０の周囲外面に接触して冷却し、カバー４０の右側下部の排気口４５から排気される。なお、追従切替機構３０により紫外線発生源２０及び冷却フィン３０を半周期回転して印刷ヘッド３の左側の位置に切り替えた際には、紫外線発生源２０及び冷却フィン３０を覆うカバー４０の排気口４５は、紫外線発生源２０及び冷却フィン３０の回転に伴うカバー４０の回転により、カバー４０の左側下部に位置される。
【００４１】
図５において、キャリッジ４により印刷ヘッド３が矢印Ａ１で示す左側に移動しているときには、追従切替機構３０による位置の切り替えで、紫外線発生源２０及び冷却フィン２１は印字ヘッド３の右側に位置している。そして、左側に移動する印刷ヘッド３の背後側で、カバー４０の吸引ファン５０が上面中央部からカバー４０内に空気を吸い込み、吸い込まれた空気がカバー４０内を流れて、紫外線の照射により温度上昇する紫外線発生源２０及び冷却フィン２１を冷却し、カバー４０の右側下部に位置した排気口４５から排出される。なお、図５において矢印Ｂは、載置テーブル２（プラテン）の移動方向、すなわち被記録媒体Ｐの移動方向である。
【００４２】
また、キャリッジ４により印刷ヘッド３が図６の矢印Ａ２で示す右側に移動しているときには、追従切替機構３０による位置の切り替えで、紫外線発生源２０及び冷却フィン２１は印字ヘッド３の左側に位置している。そして、右側に移動する印刷ヘッド３の背後側で、カバー４０の吸引ファン５０が上面中央部からカバー４０内に空気を吸い込み、吸い込まれた空気がカバー４０内を流れて、吸い込まれた空気がカバー内４０を流れて、紫外線の照射により温度上昇する紫外線発生源２０及び冷却フィン２１を冷却し、カバー４０の左側下部に位置した排気口４５から排出される。
【００４３】
なお、以上において、カバー４０の排気口４５が各請求項記載の排気部として機能し、当該排気口４５を含むカバー４０と吸引ファン５０とが排気手段として機能する。そして、上記追従切替機構３０は前述のように追従切替手段として機能すると共に、排気手段による気体の排出方向を別の方向に切り替える排気方向切替手段としても機能する。
【００４４】
以上のように構成した本実施形態の作用効果を以下に説明する。
【００４５】
上記記録装置１において、載置テーブル２に被記録媒体Ｐが載置されると、キャリッジ４により印刷ヘッド３が左側と右側とに交互に往復移動し、移動する印刷ヘッド３からは、被記録媒体Ｐに対しインクが吐出され、被記録媒体Ｐの表面に文字、画像等の記録像が描画される。そして、その後、印刷ヘッド３から吐出されたインクに紫外線が照射されることにより硬化して、被記録媒体Ｐへの記録像の定着が完了し、記録が終了する。
【００４６】
その際、印刷ヘッド３が左側へと移動している場合には、追従切替機構３０により、紫外線発生源２０が印刷ヘッド３の右側に配置される。これにより、紫外線発生源２０が印刷ヘッド３に追従しつつ左側へと移動し、左側へ移動する印刷ヘッド３の背後側において、被記録媒体Ｐに吐出された直後のインクに対し照射を行うことができる。
【００４７】
一方、印刷ヘッド３が右側へと移動している場合には、追従切替機構３０により、紫外線発生源２０が印刷ヘッド３の左側に配置される。これにより、紫外線発生源２０が印刷ヘッド３に追従しつつ右側へと移動し、右側へ移動する印刷へ
ッド３の背後側において、被記録媒体Ｐに吐出された直後のインクに対し照射を行うことができる。
【００４８】
このように、本実施形態においては、印刷ヘッド３が左側へ移動している間でも右側へ移動している間でも、追従切替機構３０により印刷ヘッド３に対する紫外線発生源２０の位置を切り替えることにより、印刷ヘッド３の移動方向の背後側において照射が行われ、被記録媒体Ｐに吐出された直後のインクに対し照射を行うことができる。これにより、被記録媒体Ｐに対し迅速な記録を行うことができる。また、紫外線発生源２０と印刷ヘッド３との相対位置及び移動方向を切り替えることにより、上記相対位置や方向を切り替えず紫外線の光路を切り替えて対応する場合に比べ、信頼性の高い照射位置切替を行うことができる。
【００４９】
特に、追従切替機構３０は、紫外線発生源２０が、ガイドバー５の側とは反対の印刷ヘッド３の前側を通過するようにしつつ配置位置の反転を行うので、印刷ヘッド３の右側から左側へ、又は、印刷ヘッド３の左側から右側へと紫外線発生源２０の反転が行われるときに、紫外線発生源２０がガイドバー５に干渉するのを確実に防止し、円滑に反転を行うことができる。
【００５０】
また、吸引ファン５０を有するカバー４０で紫外線発生源２０及び冷却フィン２１を囲むとともに、カバー４０を冷却フィン２０に固定して、カバー４０ごと紫外線発生源２０及び冷却フィン２１を回転できるようにしたので、追従切替機構３０による位置の切り替えで、印刷ヘッド３が左側へ移動している間でも右側へ移動している間でも、印刷ヘッド３の背後側で、カバー４０内に吸い込んだ空気により、紫外線の照射により温度上昇する紫外線発生源２０及び冷却フィン２１を冷却させることができる。これにより、紫外線発生源２０の温度上昇を抑制しながら紫外線照射を行わせることができる。また、印刷ヘッド３が左側へ移動している間でも右側へ移動している間でも、紫外線発生源２０及び冷却フィン２１の冷却で温度上昇した空気が、カバー４０の排気口４５から紫外線発生源２０の移動方向上流側に排出されるので、被記録媒体Ｐの紫外線が照射されたインク（言い換えれば被記録媒体Ｐの印刷済み領域）を加熱して硬化を促進することができる。
【００５１】
図７は、上記のようにして印刷ヘッド３が左側（走査方向一方側）及び右側(走査方向他方側)へ交互に走査され往復動するときの、印刷ヘッド３及び紫外線発生源２０の制御態様を表す、タイミングチャートである。上記したように、印刷ヘッド３が左側へ走査中のときには紫外線発生源２０が印刷ヘッド３の右側で照射し、印刷ヘッド３が右側へ走査中のときには紫外線発生源２０が印刷ヘッド３の左側で照射する。なお、紫外線発生源２０が印刷ヘッド３の右側から左側へ、また右側から左側へと反転駆動されている途中では、図示のように、記録装置１に設けた照射制御手段（図示せず）が紫外線発生源２０を消灯するように制御し、紫外線の照射を中止する。これにより、無駄な電力消費を低減することができる。また、紫外線が載置テーブル２の表面などで不特定な方向に反射されることで誤ってノズル孔に紫外線が照射され、例えばインクが固まってノズル孔が詰まる等の種々の不具合が起こるのを確実に防止することができる。
【００５２】
なお、本発明は、上記実施形態に限られず、技術思想を逸脱しない範囲で種々の変形が可能である。以下、そのような変形例について説明する。
【００５３】
（１）紫外線発生源を印刷ヘッドごと反転する場合
上記実施形態においては、追従切替機構３０により紫外線発生源２０を反転することにより、紫外線発生源２０を印刷ヘッド３に対し左側又は右側に位置するように切り替えた。本変形例では、図８に示すように、紫外線発生源２０を印刷ヘッド３ごと反転することにより、紫外線発生源２０を印刷ヘッド３に対し左側又は右側に位置するように切り替えた。なお、上記実施形態と同等の部分には同一の符号を付し、適宜説明を省略又は簡略化している。
【００５４】
図８（ａ）（ｂ）において、印刷ヘッド３及び紫外線発生源２０は吐出照射ユニット２３として一体的に構成してある。本変形例の追従切替機構３０Ａ（第２配置反転手段、追従切替手段）は、キャリッジ４に設けられた上面に円板ギヤ３２を取り付ける取り付け板３１Ａの下面において、円板ギヤ３２の回転軸３２ａに吐出照射ユニット２３の印刷ヘッド３の部分を回転自在に支持させるとともに、円板ギヤ３２の周縁部に締結ネジ３３により、冷却フィン２１を介して吐出照射ユニット２３の紫外線発生源２０を取り付けている。紫外線源用モータ３５により円板ギヤ３２を回転駆動すると、吐出照射ユニット２３が回転し、印刷ヘッド３及び紫外線発生源２０が一緒に位置反転する。
【００５５】
そして、吐出照射ユニット２３が左側（走査方向他方側）へと移動している場合には、追従切替機構３０Ａにより、図８（ａ）に示すように、紫外線発生源２０が印刷ヘッド３の右側となるように、吐出照射ユニット２３の向きが設定される。これにより、左側へ移動する印刷ヘッド３の背後側において、被記録媒体Ｐに吐出された直後のインクに対し照射を行うことができる。吐出照射ユニット２３が右側（走査方向一方側）へと移動している場合には、追従切替機構３０Ａにより、紫外線発生源２０が印刷ヘッド３の左側となるように、吐出照射ユニット２３の向きが設定される。これにより、右側へ移動する印刷ヘッド３の背後側において、被記録媒体Ｐに吐出された直後のインクに対し照射を行うことができる。また、印刷ヘッド３と紫外線発生源２０とが一体となった吐出照射ユニット２３ごと方向が反転することにより、印刷ヘッド３に備えられた複数のノズル孔から複数種類の色のインクを積層して記録を行うときのインクの積層順序が、吐出照射ユニット２３が右側及び左側のいずれに移動している場合でも、同一順序となる。この結果、被記録媒体Ｐに形成される記録物の画質を向上することができる。
【００５６】
なお本変形例においても、上記実施形態で用いたカバー４０と同様なカバーにより吐出照射ユニット２３の周囲を覆ってもよい。
【００５７】
（２）カバーの印刷ヘッド近傍の下部に排気口を設ける場合
上記実施形態においては、紫外線発生源２０及び冷却フィン２１の周囲を囲むカバー４０は、排気口４５を印刷ヘッド３とは反対側の下部に設けた。本変形例では、図９に示すように、カバー４０Ａを印刷ヘッド３を含む大きさに形成し、そのカバー４０Ａの印刷ヘッド３側の下部に排気口４５ａを設けた。なお、上記実施形態と同等の部分には同一の符号を付し、適宜説明を省略又は簡略化している。
【００５８】
本変形例において、キャリッジ４により印刷ヘッド３が図１０の矢印Ａ１で示す左側に移動しているときには、追従切替機構３０による位置の切り替えで、紫外線発生源２０及び冷却フィン２１は印字ヘッド３の右側に位置している。そして、左側に移動する印刷ヘッド３の背後側で、カバー４０Ａの吸引ファン５０が上面中央部からカバー４０Ａ内に空気を吸い込み、吸い込まれた空気がカバー４０Ａ内を流れて、紫外線の照射により温度上昇する紫外線発生源２０及び冷却フィン２１を冷却し、カバー４０Ａの左側下部に位置した排気口４５ａから排出される。
【００５９】
また、キャリッジ４により印刷ヘッド３が図１１の矢印Ａ２で示す右側に移動しているときには、追従切替機構３０による位置の切り替えで、紫外線発生源２０及び冷却フィン２１は印字ヘッド３の左側に位置している。そして、右側に移動する印刷ヘッド３の背後側で、カバー４０Ａの吸引ファン５０が上面中央部からカバー４０Ａ内に空気を吸い込み、吸い込まれた空気がカバー４０Ａ内を流れて、紫外線の照射により温度上昇する紫外線発生源２０及び冷却フィン２１を冷却し、カバー４０Ａの右側下部に位置した排気口４５ａから排出される。
【００６０】
なお、以上において、カバー４０Ａの排気口４５ａが各請求項記載の排気部として機能し、当該排気口４５ａを含むカバー４０Ａと吸引ファン５０とが排気手段として機能する。そして、上記追従切替機構３０は前述のように追従切替手段として機能すると共に、排気手段による気体の排出方向を別の方向に切り替える排気方向切替手段としても機能する。
【００６１】
本変形例によれば、印刷ヘッド３が左側へ移動している間でも右側へ移動している間でも、紫外線発生源２０及び冷却フィン２１の冷却で温度上昇した空気が、カバー４０Ａの排気口４５ａから印刷ヘッド３の移動方向下流側に排出されるので、印刷ヘッド３によりインクが吐出される被記録媒体Ｐの領域（言い換えれば被記録媒体Ｐの印刷前の領域）を予め予熱することができ、吐出されたインクの紫外線照射による硬化を促進することができる。
【００６２】
（３）カバーの印刷ヘッド近傍の下部と反対側の下部とに排気口を設ける場合
本変形例においては、図１２に示すように、カバー４０Ｂを印刷ヘッド３を含む大きさに形成し、そのカバー４０Ｂの印刷ヘッド３とは反対側の下部と印刷ヘッド３の側の下部とにそれぞれ排気口４５ｂ１，４５ｂ２を設けた。なお、上記実施形態と同等の部分には同一の符号を付し、適宜説明を省略又は簡略化している。
【００６３】
本変形例において、キャリッジ４により印刷ヘッド３が図１３の矢印Ａ１で示す左側に移動しているときには、追従切替機構３０による位置の切り替えで、紫外線発生源２０及び冷却フィン２１は印字ヘッド３の右側に位置している。そして、左側に移動する印刷ヘッド３の背後側で、カバー４０Ｂの吸引ファン５０が上面中央部からカバー４０Ｂ内に空気を吸い込み、吸い込まれた空気がカバー４０Ｂ内を流れて、紫外線の照射により温度上昇する紫外線発生源２０及び冷却フィン２１を冷却し、カバー４０Ｂの右側下部、左側下部にそれぞれ位置した排気口４５ｂ１，４５ｂ２から排出される。
【００６４】
また、キャリッジ４により印刷ヘッド３が図１４の矢印Ａ２で示す右側に移動しているときには、追従切替機構３０による位置の切り替えで、紫外線発生源２０及び冷却フィン２１は印字ヘッド３の左側に位置している。そして、右側に移動する印刷ヘッド３の背後側で、カバー４０Ｂの吸引ファン５０が上面中央部からカバー４０内に空気を吸い込み、吸い込まれた空気がカバー４０Ｂ内を流れて、紫外線の照射により温度上昇する紫外線発生源２０及び冷却フィン２１を冷却し、カバー４０Ｂの右側下部、左側下部にそれぞれ位置した排気口４５ｂ２，４５ｂ１から排出される。
【００６５】
なお、以上において、カバー４０Ｂの排気口４５ｂ１，４５ｂ２が各請求項記載の排気部として機能し、当該排気口４５ｂ１，４５ｂ２を含むカバー４０Ｂと吸引ファン５０とが排気手段として機能する。そして、上記追従切替機構３０は前述のように追従切替手段として機能すると共に、排気手段による気体の排出方向を別の方向に切り替える排気方向切替手段としても機能する。
【００６６】
本変形例によれば、印刷ヘッド３が左側へ移動している間でも右側へ移動している間でも、紫外線発生源２０及び冷却フィン２１の冷却で温度上昇した空気が、カバー４０Ｂの排気口４５ｂ１，４５ｂ２から印刷ヘッド３の移動方向上流側と下流側とに排出されるので、紫外線が照射されたインク（言い換えれば被記録媒体Ｐの印刷済み領域）の加熱による硬化促進と、被記録媒体Ｐの予熱による、紫外線照射後のインク（言い換えれば被記録媒体Ｐの印刷前の領域）の硬化促進との、両方の硬化促進を図ることができる。
【００６７】
（４）カバーに開閉自在に設けた排気口を開いて排気する場合（その１）
本変形例においては、図１５に示すように、カバー４０Ｃの印刷ヘッド３とは反対側において、上記走査方向徒と直交する直交方向両側の下部、すなわちカバー４０Ｃの右側の前側下部と後側下部とにそれぞれ排気口４５ｃ１，４５ｃ２を設けるとともに、排気口４５ｃ１，４５ｃ２を開閉する扉４７ａ，４７ｂ（開閉部材）と、その開閉機構４８ａ，４８ｂとを設けた。
【００６８】
本変形例において、キャリッジ４により印刷ヘッド３が図１６の矢印Ａ１で示す左側に移動しているときには、カバー４０Ｃの開閉機構４８ａにより扉４７ａを開けることにより、右側の前側下部に位置した排気口４５ｃ１を開放してある。紫外線発生源２０及び冷却フィン２１は、追従切替機構３０による位置反転で印字ヘッド３の右側に位置している。そして、左側に移動する印刷ヘッド３の背後側で、カバー４０Ｃの吸引ファン５０が上面中央部からカバー４０Ｃ内に空気を吸い込み、吸い込まれた空気がカバー４０Ｃ内を流れて、紫外線の照射により温度上昇する紫外線発生源２０及び冷却フィン２１を冷却し、カバー４０Ｃの右側の前側下部に位置した排気口４５ｃ１から排出される。
【００６９】
また、キャリッジ４により印刷ヘッド３が図１７の矢印Ａ２で示す右側に移動しているときには、カバー４０Ｃの開閉機構４８ｂにより扉４７ｂを開けることにより、左側の前側下部に位置した排気口４５ｃ２を開放してある。左側の後側下部に位置した排気口４５ｃ１は、開閉機構４８ａにより扉４７ａを閉めることにより閉鎖してある。紫外線発生源２０及び冷却フィン２１は、追従切替機構３０による位置の切り替えで、印字ヘッド３の左側に位置している。そして、右側へ移動する印刷ヘッド３の背後側で、カバー４０Ｃの吸引ファン５０が上面中央部からカバー４０Ｃ内に空気を吸い込み、吸い込まれた空気がカバー４０Ｃ内を流れて、紫外線の照射により温度上昇する紫外線発生源２０及び冷却フィン２１を冷却し、カバー４０Ｃの左側の前側下部に位置した排気口４５ｃ２から排出される。
【００７０】
なお、以上において、カバー４０Ｃの排気口４５ｃ１，４５ｃ２が各請求項記載の排気部として機能し、当該排気口４５ｃ１，４５ｃ２を含むカバー４０Ｃと吸引ファン５０とが排気手段として機能する。そして、上記追従切替機構３０と、上記扉４７ａ，４７ｂと、開閉機構４８ａ，４８ｂとが、排気手段による気体の排出方向を別の方向に切り替える排気方向切替手段として機能する。
【００７１】
本変形例によれば、印刷ヘッド３が左側へ移動している間でも右側へ移動している間でも、紫外線発生源２０及び冷却フィン２１の冷却で温度上昇した空気が、カバー４０Ｂの排気口４５ｂ１又は４５ｂ２から矢印Ｂで示す被記録媒体Ｐの移動方向下流側に排出されるので、被記録媒体Ｐの紫外線が照射されたインク（言い換えれば被記録媒体Ｐの印刷済み領域）を加熱して硬化を促進することができる。
【００７２】
（５）カバーに開閉自在に設けた排気口を開いて排気する場合（その２）
本変形例において、図１８に示すように、カバー４０Ｃの構成は、上記図１５に示した（４）の変形例と同じである。カバー４０Ｃは、（４）の変形例とは異なり、キャリッジ４により印刷ヘッド３が図１８の矢印Ａ１で示す左側に移動しているときには、印刷ヘッド３とは反対側における直交方向の後側下部に位置した排気口４５ｃ２を、開閉機構４８ｂにより扉４７ｂを開けることにより開放している。紫外線発生源２０及び冷却フィン２１は、追従切替機構３０による位置反転で、印刷ヘッド３の右側に位置している。そして、左側に移動する印刷ヘッド３の背後側で、カバー４０Ｃの吸引ファン５０が上面中央部からカバー４０Ｃ内に空気を吸い込み、吸い込まれた空気がカバー４０Ｃ内を流れて、紫外線の照射により温度上昇する紫外線発生源２０及び冷却フィン２１を冷却し、カバー４０Ｃの右側の後側下部に位置した排気口４５ｃ２から排出される。
【００７３】
また、キャリッジ４により印刷ヘッド３が図１９の矢印Ａ２で示す右側に移動しているときには、カバー４０Ｃの開閉機構４８ａにより扉４７ａを開けることにより、左側の後側下部に位置した排気口４５ｃ１を開放してある。紫外線発生源２０及び冷却フィン２１は、追従切替機構３０による位置の切り替えで、印字ヘッド３の左側に位置している。そして、右側へ移動する印刷ヘッド３の背後側で、カバー４０Ｃの吸引ファン５０が上面中央部からカバー４０Ｃ内に空気を吸い込み、吸い込まれた空気がカバー４０Ｃ内を流れて、紫外線の照射により温度上昇する紫外線発生源２０及び冷却フィン２１を冷却し、カバー４０Ｃの左側の前側下部に位置した排気口４５ｃ２から排出される。
【００７４】
なお、本変形例においても、上記同様、カバー４０Ｃの排気口４５ｃ１，４５ｃ２が各請求項記載の排気部として機能し、カバー４０Ｃと吸引ファン５０とが排気手段として機能し、追従切替機構３０と、扉４７ａ，４７ｂと、開閉機構４８ａ，４８ｂとが、排気方向切替手段として機能する。
【００７５】
本変形例によれば、印刷ヘッド３が左側へ移動している間でも右側へ移動している間でも、紫外線発生源２０及び冷却フィン２１の冷却で温度上昇した空気が、カバー４０Ｃの排気口４５ｃ１又は４５ｃ２から矢印Ｂで示す被記録媒体Ｐの移動方向上流側に排出されるので、印刷ヘッド３によりインクが吐出される被記録媒体Ｐの領域（言い換えれば被記録媒体Ｐの印刷前の領域）を予め予熱することができ、吐出されたインクの紫外線照射による硬化を促進することができる。
【００７６】
（６）カバーの両側の排気口を開いて排気する場合
本変形例において、図２０に示すように、カバー４０Ｃの構成は、上記図１５に示した（４）の変形例と同じである。本変形例では、カバー４０Ｃは、（４）の変形例と異なり、キャリッジ４による印刷ヘッド３の移動方向が右側でも左側でも、印刷ヘッド３とは反対側における直交方向の前側下部と後側下部に位置した排気口４５ｃ１，４５ｃ２の両方を、開閉機構４８ａ，４８ｂにより扉４７ａ，４７ｂを開けることにより開放してある。キャリッジ４により印刷ヘッド３が図２０の矢印Ａ１で示す左側に移動しているときには、紫外線発生源２０及び冷却フィン２１は、追従切替機構３０による位置反転で、印刷ヘッド３の右側に位置している。そして、左側に移動する印刷ヘッド３の背後側で、カバー４０Ｃの吸引ファン５０が上面中央部からカバー４０Ｃ内に空気を吸い込み、吸い込まれた空気がカバー４０Ｃ内を流れて、紫外線の照射により温度上昇する紫外線発生源２０及び冷却フィン２１を冷却し、カバー４０Ｃの右側の前側下部に位置した排気口４５ｃ１と後側下部に位置した４５ｃ２とから排出される。
【００７７】
また、キャリッジ４により印刷ヘッド３が図２１の矢印Ａ２で示す右側に移動しているときには、紫外線発生源２０及び冷却フィン２１は、追従切替機構３０による位置反転で、印刷ヘッド３の左側に位置している。そして、右側に移動する印刷ヘッド３の背後側で、カバー４０Ｃの吸引ファン５０が上面中央部からカバー４０Ｃ内に空気を吸い込み、吸い込まれた空気がカバー４０Ｃ内を流れて、紫外線の照射により温度上昇する紫外線発生源２０及び冷却フィン２１を冷却し、カバー４０Ｃの左側の前側下部に位置した排気口４５ｃ２と後側下部に位置した４５ｃ１とから排出される。
【００７８】
なお、本変形例においても、上記同様、カバー４０Ｃの排気口４５ｃ１，４５ｃ２が各請求項記載の排気部として機能し、カバー４０Ｃと吸引ファン５０とが排気手段として機能し、追従切替機構３０と、扉４７ａ，４７ｂと、開閉機構４８ａ，４８ｂとが、排気方向切替手段として機能する。
【００７９】
本変形例によれば、印刷ヘッド３が左側へ移動している間でも右側へ移動している間でも、紫外線発生源２０及び冷却フィン２１の冷却で温度上昇した空気が、カバー４０Ｃの排気口４５ｃ１，４５ｃ２から矢印Ｂで示す被記録媒体Ｐの移動方向上流側と下流側とに排出されるので、印刷ヘッド３によりインクが吐出される被記録媒体Ｐの領域（言い換えれば被記録媒体Ｐの印刷前の領域）を予め予熱するとともに、被記録媒体Ｐの紫外線が照射されたインク（言い換えれば被記録媒体Ｐの印刷済み領域）を加熱することもでき、硬化を促進することができる。
【００８０】
以上、本発明の実施形態及び変形例について説明したが、以上既に述べた以外にも、上記実施形態や各変形例による手法を適宜組み合わせて利用しても良い。
【００８１】
その他、一々例示はしないが、本発明は、その趣旨を逸脱しない範囲内において、種々の変更が加えられて実施されるものである。
【符号の説明】
【００８２】
１                記録装置
２                載置テーブル（載置手段）
３                印刷ヘッド
４                キャリッジ（印刷ヘッド搬送手段）
５                ガイドバー（搬送ガイド部材）
２０              紫外線発生源
２１              冷却フィン
２３              吐出照射ユニット
３０              追従切替機構（第１配置反転手段、追従切替手段）
３０Ａ            追従切替機構（第２配置反転手段、追従切替手段）
３３              締結ネジ
３５              紫外線源用モータ
４０，４０Ａ，４０Ｂ，４０Ｃ  カバー
４５，４５ａ，４５ｂ１，４５ｂ２，４５ｃ１，４５ｃ２    排気口
４７ａ，４７ｂ    開閉扉（開閉部材）
４８ａ，４８ｂ    開閉機構
５０              吸引ファン
【図１】
2012206451.tif 000003
【図２】
2012206451.tif 000004
【図３】
2012206451.tif 000005
【図４】
2012206451.tif 000006
【図５】
2012206451.tif 000007
【図６】
2012206451.tif 000008
【図７】
2012206451.tif 000009
【図８】
2012206451.tif 000010
【図９】
2012206451.tif 000011
【図１０】
2012206451.tif 000012
【図１１】
2012206451.tif 000013
【図１２】
2012206451.tif 000014
【図１３】
2012206451.tif 000015
【図１４】
2012206451.tif 000016
【図１５】
2012206451.tif 000017
【図１６】
2012206451.tif 000018
【図１７】
2012206451.tif 000019
【図１８】
2012206451.tif 000020
【図１９】
2012206451.tif 000021
【図２０】
2012206451.tif 000022
【図２１】
2012206451.tif 000023